(57)【特許請求の範囲】
【請求項１】
袋体を、自然分解可能な繊維と耐腐敗性の合成繊維を混合した不織布とし、前記袋体の自然分解速度を調整することを特徴とする土嚢袋。
【請求項２】
袋体の外側に補強ネットを取付けたことを特徴とする請求項１記載の土嚢袋。
【請求項３】
不織布の内部に補強ネットを内包したことを特徴とする請求項１記載の土嚢袋。
【請求項４】
補強ネットが自然分解可能な繊維糸からなることを特徴とする請求項２又は３記載の土嚢袋。
【請求項５】
補強ネットの網目のサイズが１０ｍｍ角〜１００ｍｍ角であることを特徴とする請求項４記載の土嚢袋。
【請求項６】
袋体の外側に植物の種子を付着させたことを特徴とする請求項１〜５記載の土嚢袋。
【発明の詳細な説明】
【０００１】
【発明の属する技術分野】
土木、建設工事現場等において、盛土により形成された傾斜面等の土砂の流出防止等の保護を行うと同時に傾斜面等の緑化基盤となる土嚢袋に関する。
【０００２】
【従来の技術】
従来、土木、建設工事現場等に使用される土嚢袋としては、天然繊維、或は合成繊維等を織った織物を袋状にした土嚢袋が使用される。天然繊維としては麻等、合成繊維としては、ナイロン、ポリプロピレン等が素材として使用される。
【０００３】
【発明が解決しようとする課題】
ところで、近年、土木、建設工事においては、自然環境の破壊が問題になっており、工事の完成と共に、表面を緑化して自然環境の保護、美化が強く要求されている。
【０００４】
しかし、従来の素材でできた土嚢袋は織物であるので、綿、麻等の自然分解性の素材を用いていても、繊維が撚糸された状態であるため、土中で自然分解するのに時間を要し、そのため緑化の際に植物が根を成長させる際の妨げとなっていた。
合成繊維の素材のものは、自然分解することがないので、緑化が困難であると共に土中に袋体が異物として残り好ましくなかった。
【０００５】
そのため本発明では、十分な強度もたせることで土嚢としての形態を保ち、傾斜面の緑化の際には袋体が土中で自然分解することで緑化を容易にし、自然環境保護に優れ、かつ安価な土壌袋を提供することを目的とする。
【０００６】
【課題を解決するための手段】
本発明者らは、適度な目付を有する自然分解性の繊維からなる不織布が本発明の目的に適することを見出し、本発明を完成するに至った。
【０００７】
本発明では、
＜１＞袋体を、自然分解可能な繊維と耐腐敗性の合成繊維を混合した不織布とし、前記袋体の自然分解速度を調整することを特徴とする土嚢袋、
＜２＞袋体の外側に補強ネットを取付けたことを特徴とする＜１＞記載の土嚢袋、
＜３＞不織布の内部に補強ネットを内包したことを特徴とする＜１＞記載の土嚢袋、
＜４＞補強ネットが自然分解可能な繊維糸からなることを特徴とする＜２＞又は＜３＞記載の土嚢袋、
＜５＞補強ネットの網目のサイズが１０ｍｍ角〜１００ｍｍ角であることを特徴とする＜４＞記載の土嚢袋、
＜６＞袋体の外側に植物の種子を付着させたことを特徴とする＜１＞〜＜５＞記載の土嚢袋、
を提供する。
【０００８】
【発明の実施の形態】
本発明の土嚢袋の一例を図１に示す。本発明の土嚢袋１は、自然分解可能な繊維からなる不織布により製造される。土嚢袋１は、不織布シートをロール状として該シートの端部を縫合、接着等で接合し、該ロールの一方側端部３を縫合、接着等で接合した袋体２とする。該袋体２の開口端４は、端部を折り返して先端部を接合し貫通穴を設け、該貫通穴に紐５を通す等をして、土嚢として使用する際に開口端４を閉じられるようにする。
【０００９】
本発明の土嚢袋１に使用する不織布には、綿、麻等の天然繊維、レーヨン等の再生繊維、自然分解性の合成繊維等の自然分解可能な繊維が使用される。これらの中では綿がコスト、及び強度等から好適である。
【００１０】
不織布の製造方法としては、交絡法（水流交絡法又は空気交絡法）、ニードルパンチ法、ケミカルボンド法等が使用できるが、この中でも不織布を構成する繊維を上下左右に絡み合わせる交絡法により製造される不織布が、バインダーを必要とせず、柔軟で、かつ乾燥時、湿潤時の引張強さ等が経緯方向共に優れているので好適である。
【００１１】
また、本発明の土嚢袋１は、土嚢としての形態を維持できるように充分な強度が必要とされる。このため本発明では、袋体を形成する不織布の目付を３０ｇ／ｍ２以上、好ましくは４０ｇ／ｍ２以上とするのがよい。
【００１２】
更に、本発明の土嚢袋１に使用する不織布は、前述の自然分解可能な繊維のみで製造されることが好ましいが、袋体２の強度アップのため、及び使用環境や土嚢袋の内部に入れる土の成分により不織布の自然分解速度が異なり、場合によっては緑化より早く不織布が自然分解するので、不織布の自然分解速度を調整するために本発明の目的を損なわない範囲で、ポリエステル、ポリプロピレン等の耐腐敗性合成繊維の短繊維を混合してもよい。耐腐敗性合成繊維の短繊維の混合量は不織布全重量の５０重量％以下とする。５０重量％以下であれば、使用時に不織布全体としては分解し本発明の目的を達成することができる。
【００１３】
このような不織布からなる土嚢袋１を土嚢として使用した場合、通気性及び通水性に優れるので、外部から雨等により適度な水分を袋体２内部の土に浸透させることができる。さらに激しい降雨時には袋体２内部の土が流出することを防ぎ水分のみを外部に排出する。また乾燥時は袋体２により袋体２内部の水分の蒸散を制限する。このため緑化の際は、緑化基盤を固めると同時に袋体２内部の土は常に適度な水分を含み緑化基盤として適したものとなる。
【００１４】
更に、本発明では袋体２を補強し耐重量性をよくするために、袋体２の外側に補強ネット６を取付けてもよい。図２は補強ネットを取付けた本発明の土嚢袋の一例である。補強ネット６の取付け方法は、縫い付ける又は接着により貼付ける等の何れでもよい。補強ネット６の素材は、綿、麻等の天然繊維、レーヨン等の再生繊維、ポリプロピレン等の合成繊維が使用できるが、自然分解性の繊維が緑化後に自然分解するので好ましい。
【００１５】
補強ネット６の網目のサイズは、補強の点や、袋体の自然分解速度より植物の根の成長速度が早い場合には根の成長を妨げないように１０ｍｍ角〜１００ｍｍ角程度の網目とする。中でも２０ｍｍ角〜４０ｍｍ角程度の網目のものが植物の根の成長を妨げずに十分な補強を行えるので最適である。
【００１６】
また、前述の補強ネット６を不織布の製造時に不織布の内部に内包してもよい。この様にすれば、後で補強ネット６を取付けるための工程をなくすことが出来ると共に、不織布に十分な強度をもたすことが出来るので、本発明の用途に好適である。補強ネット６を不織布に内包する方法は特に限定しないが、ネットの周囲を不織布を構成する繊維が上下左右に絡み合っている交絡法により製造されたものであれば、ネットの織り込みが容易であると共に十分な強度が得られるので好ましい。
【００１７】
以上の土嚢袋１のサイズは、一般に使用される土嚢のサイズの他、適宜小型サイズとしてもよい。
【００１８】
＜工事現場の緑化＞
本発明の土嚢袋１は、例えば緑化に適した扶養土等を詰込み土嚢として使用される。土嚢袋１は積み重ねて工事現場の傾斜面に配置され、軟鋼製金網等で押えられ、アンカーにより固定される。工事現場の緑化は土嚢袋を積み重ねて配置し固定した傾斜面の上に、扶養土を２ｃｍ〜１０ｃｍの厚みで被せて所要とする植物の種子を播く。
【００１９】
本発明の土嚢袋１は、予め土嚢袋１の外側に植物の種子８を付着させておくことが出来る。植物の種子８を付着させる方法は、例えば土嚢袋１の袋体２となる不織布にバインダーを用いて種子８を接着する方法、又はメッシュ状の袋体に種子８を入れた種子袋７を取付ける方法等の公知の方法により付着させる。予め土嚢袋１に植物の種子８を付着させておけば、後から種子８を播く工程を省くことができると共に、植物を安定した状態で根付かせることができる。
【００２０】
【発明の効果】
本発明は上述のようであるので、以下の優れた効果を有する。
（１）土嚢を構成する袋体を自然分解性の繊維からなる不織布で構成しているため、緑化の際に植物の根の成長を妨げることなく、工事現場の傾斜面等において自然な緑化が出来る。
（２）袋体を形成する不織布が交絡法により製造されていれば、少ない目付でも強度があるのでコストを安価にすることができる。
（３）不織布の目付を３０ｇ／ｍ２以上とすれば、袋体を土嚢とした際に破れ難くすることができ、土嚢袋として十分な強度を持たせることができる。
（４）自然分解性の繊維と耐腐敗性の合成繊維を混合した不織布であれば、袋体の耐腐敗性を向上させ、自然分解速度を調整することが出来る。
（５）袋体を構成する不織布に補強ネットを取付けた場合は、耐重量性がよく運搬が容易になり、かつ形態維持を容易にすることが出来る。
（６）袋体を構成する不織布の内部に補強ネットを内包した場合は、後で補強ネットを取付けるための工程をなくすことができるのでコストを低減できる。
（７）補強ネットが自然分解性の繊維糸であれば、長い期間をおけばネットも自然分解するので、土中に残留物を発生させることがない。
（８）補強ネットの網目サイズを１０ｍｍ角〜１００ｍｍ角程度とすれば、植物の根の成長を妨げずに十分な補強を行える。
（９）土嚢袋に種子を付着させた場合は、緑化の際に種子を播く工程及び扶養土を被せる工程をなくすことが出来るので、コストを低減できる。
【図面の簡単な説明】
【図１】本発明の土嚢袋の一例
【図２】補強ネットを取付けた本発明の土嚢袋の一例
【符号の説明】
１  土嚢袋
２  袋体
３  端部
４  開口端
５  紐
６  補強ネット
７  種子袋
８  種子
【図１】
0003720125.tif 000002
【図２】
0003720125.tif 000003